(57)【特許請求の範囲】
【請求項１】
自動販売機本体の内部に設けた断熱構造の商品収容庫の前面開口を開閉する態様で前記自動販売機本体に揺動可能に配設され、かつ前記商品収容庫から払い出された商品を通過させる商品搬出口を有する断熱構造の扉本体と、
前記商品搬出口を開閉する態様で該商品搬出口を画成する枠体に揺動可能に配設された商品搬出扉と
を備えた自動販売機用扉体において、
前記商品搬出扉が前記商品搬出口を閉成する場合に、前記商品搬出扉と前記枠体との隙間に、供給された水を毛細管現象により貯留させるようにしたことを特徴とする自動販売機用扉体。
【請求項２】
前記枠体を構成し、かつ前記商品搬出扉の先端部と嵌合可能な下枠部材は、水滴を蓄積するための窪みを有することを特徴とする請求項１に記載の自動販売機用扉体。
【請求項３】
前記水は、前記商品搬出扉の表面に生じた結露水であることを特徴とする請求項１又は請求項２に記載の自動販売機用扉体。
【発明の詳細な説明】
【技術分野】
【０００１】
本発明は、自動販売機用扉体に関し、より詳細には、自動販売機本体の内部に設けた断熱構造の商品収容庫の前面開口を開閉する態様で自動販売機本体に揺動可能に配設され、かつ商品収容庫から払い出された商品を通過させる商品搬出口を有する断熱構造の扉本体と、商品搬出口を開閉する態様で該商品搬出口を画成する枠体に揺動可能に配設された商品搬出扉とを備えた自動販売機用扉体に関するものである。
【背景技術】
【０００２】
従来、例えば缶入り飲料やペットボトル入り飲料等の商品を販売する自動販売機として、商品収容庫、内扉（自動販売機用扉体）及び外扉を備えたものが知られている。商品収容庫は、前面に開口が形成された直方体状の自動販売機本体の内部に、前面が開口した状態で設けられている。この商品収容庫は、内部に収納する商品を所望の温度状態に保持するためのもので、断熱構造を有している。内扉は、断熱構造を有しており、商品収容庫の前面開口を開閉する態様で自動販売機本体に揺動可能に配設されている。この内扉には、商品収容庫から払い出された商品を通過する矩形状の商品搬出口が形成されている。外扉は、自動販売機本体の前面開口を開閉する態様で自動販売機本体に揺動可能に配設されている。この外扉には、商品収容庫から払い出されて商品搬出口を通過した商品を取り出すための矩形状の商品取出口が形成されている。
【０００３】
このような自動販売機においては、自動販売機本体内部への外気の進入を抑制して気密性能の向上を図るべく、商品搬出口を開閉する商品搬出扉を二重構造とし、一方の商品搬出扉をモータ等の電動機構を用いて開閉移動させている（例えば、特許文献１参照）。
【先行技術文献】
【特許文献】
【０００４】
【特許文献１】特開平４−３６５１９２号公報
【発明の概要】
【発明が解決しようとする課題】
【０００５】
ところが、このような自動販売機では、商品搬出扉を二重構造とし、一方の商品搬出扉を電動機構で開閉移動させているので、複雑な構造を有する電動機構に要するコストが過大なものとなるだけでなく、電動機構の設置スペースを確保する観点から商品搬出扉の開閉移動範囲も制限されていた。
【０００６】
本発明は、上記実情に鑑みて、コストの低減化を図りつつ、商品搬出扉の開閉移動範囲を良好に確保して、気密性能の向上を図ることができる自動販売機用扉体を提供することを目的とする。
【課題を解決するための手段】
【０００７】
上記目的を達成するために、本発明の請求項１に係る自動販売機用扉体は、自動販売機本体の内部に設けた断熱構造の商品収容庫の前面開口を開閉する態様で前記自動販売機本体に揺動可能に配設され、かつ前記商品収容庫から払い出された商品を通過させる商品搬出口を有する断熱構造の扉本体と、前記商品搬出口を開閉する態様で該商品搬出口を画成する枠体に揺動可能に配設された商品搬出扉とを備えた自動販売機用扉体において、前記商品搬出扉が前記商品搬出口を閉成する場合に、前記商品搬出扉と前記枠体との隙間に、供給された水を毛細管現象により貯留させるようにしたことを特徴とする。
【０００８】
また、本発明の請求項２に係る自動販売機用扉体は、上述した請求項１において、前記枠体を構成し、かつ前記商品搬出扉の先端部と嵌合可能な下枠部材は、水滴を蓄積するための窪みを有することを特徴とする。
【０００９】
また、本発明の請求項３に係る自動販売機用扉体は、上述した請求項１又は請求項２において、前記水は、前記商品搬出扉の表面に生じた結露水であることを特徴とする。
【発明の効果】
【００１０】
本発明の自動販売機用扉体によれば、商品搬出扉が商品搬出口を閉成する場合に、商品搬出扉と枠体との隙間に、供給された水を毛細管現象により貯留させるようにしたので、気密性能を向上させることができる。しかも、商品搬出扉の開閉移動範囲を制限するものではないので、商品搬出扉の開閉移動範囲を良好に確保することができる。更に、商品搬出扉と商品取出扉との隙間に供給された水を貯留させるだけなので、従来のようにモータ等の電動機構を必要とせず、コストを低減させることができる。従って、コストの低減化を図りつつ、商品搬出扉の開閉移動範囲を良好に確保して、気密性能の向上を図ることができるという効果を奏する。
【図面の簡単な説明】
【００１１】
【図１】図１は、本発明の実施の形態である自動販売機用扉体が適用された自動販売機を示す断面側面図である。
【図２】図２は、図１に示した内扉の要部を示す斜視図である。
【図３】図３は、図１に示した内扉の要部を模式的に示す断面側面図である。
【図４】図４は、図２に示した商品搬出口枠を構成する側枠部材の横断面形状を模式的に示す平面断面図である。
【図５】図５は、図３に示した商品搬出口枠の下枠部材の構成を模式的に示す縦断面図である。
【図６】図６は、本発明の実施の形態である自動販売機用扉体の変形例を模式的に示す平面断面図である。
【図７】図７は、本発明の実施の形態である自動販売機用扉体の変形例を模式的に示す縦断面図である。
【図８】図８は、本発明の実施の形態である自動販売機用扉体の変形例を模式的に示す縦断面図である。
【発明を実施するための形態】
【００１２】
以下に添付図面を参照して、本発明に係る自動販売機用扉体の好適な実施の形態について詳細に説明する。
【００１３】
図１は、本発明の実施の形態である自動販売機用扉体が適用された自動販売機を示す断面側面図である。ここで例示する自動販売機は、例えば缶入り飲料やペットボトル入り飲料等の商品を冷却、若しくは加熱した状態で販売するもので、自動販売機本体である本体キャビネット１を備えている。
【００１４】
本体キャビネット１は、複数の金属板を適宜組み合わせることによって構成したもので、前面が開口した直方体状に構成してある。この本体キャビネット１には、その内部に前面が開口した断熱構造の商品収容庫２が設けてある。本実施の形態では、本体キャビネット１の内面に予め板状に成形した断熱ボード３を配設することにより、これら断熱ボード３によって囲まれる空間に商品収容庫２を構成するようにしている。断熱ボード３は、図には明示していないが、発泡ウレタン等の断熱材によって成形した板状部材の表裏両面にそれぞれ面材として樹脂フィルムやクラフト紙を貼着したものである。
【００１５】
この商品収容庫２には、商品収納ラック５が配設してある。商品収納ラック５は、一対の側板５ａの間に通路形成部材５ｂを配設することによって上下方向に沿って延在する蛇行状の商品収納域６を構成したもので、商品収納域６に商品を収納する一方、商品販売指令が与えられた場合に最下位に位置するものから商品の払い出しを行う。本実施の形態では、複数の商品収納域６を有した商品収納ラック５を前後に配設するようにしている。
【００１６】
また、商品収容庫２には、下方部に商品シュータ７及び背面ダクト８が設けてある。商品シュータ７は、多数の通気孔を有した平板状部材であり、商品収容庫２の後方から前方に向けて漸次低くなる態様で傾斜して配設してある。背面ダクト８は、商品収容庫２において背面側に位置する部分に設けた導風路である。
【００１７】
商品シュータ７よりも下方となる部分には、後方側から蒸発器１０ａ、ヒータ１１及び庫内送風ファン１２が順次配置してある。蒸発器１０ａは、商品収容庫２の下部の機械室４に配置した圧縮機１０ｂ、凝縮器１０ｃ及び膨張機構１０ｄとともに冷却ユニット１０を構成するものである。ヒータ１１は、通電状態となる場合に発熱するものである。庫内送風ファン１２は、モータ１３が駆動した場合に商品収容庫２の後方から前方に向けて送風を行うものである。
【００１８】
一方、上記自動販売機には、内扉２０及び外扉３０が設けてある。内扉２０は、商品収容庫２の前面開口を覆うためのもので、本体キャビネット１の一側縁部に開閉可能に配設した自動販売機用扉体である。この内扉２０は、扉本体２１と商品搬出扉２５とを有しており、扉本体２１は、扉基体２２と商品搬出口枠２３とを備えて構成してある。
【００１９】
扉基体２２は、枠体としての扉基体板金と発泡ウレタン等の断熱材とによって成形した板状部材である。この扉基体２２には、上述した断熱ボード３と同様に、その表裏両面の所定個所に面材としての樹脂フィルムやクラフト紙が貼着してある。
【００２０】
商品搬出口枠２３は、図２及び図３に示すように、上枠部材２３１、下枠部材２３２及び左右一対の側枠部材２３３，２３４を四周枠組みすることによって構成したもので、扉基体２２に装着することによって矩形状の商品搬出口２４を構成するものである。このような商品搬出口２４は、商品収容庫２の商品収納ラック５から払い出され、かつ商品シュータ７を転動した商品を通過させるための開口である。
【００２１】
商品搬出扉２５は、例えば樹脂材から形成されたもので、商品搬出口２４を閉成するのに十分な大きさを有している。この商品搬出扉２５は、常態においては、自身の自重のモーメントにより商品搬出口２４を閉成しており、内方側から押された場合には、商品搬出口２４が開成状態となるように水平な軸部を中心として商品搬出口枠２３に揺動可能に配設してある。
【００２２】
このような内扉２０において、商品搬出口枠２３における左右一対の側枠部材２３３，２３４のうち、商品搬出口２４を閉成する商品搬出扉２５と嵌合する部分の横断面形状が、図４に示すようにコ字状を成している。かかる部分の横断面形状がコ字状を成していることで、商品搬出口２４を閉成する商品搬出扉２５との隙間が十分に小さくなる部分（以下、低間隙部分ともいう）４０の面積を拡大させることができる。
【００２３】
また、この商品搬出口枠２３における下枠部材２３２のうち、商品搬出口２４を閉成する商品搬出扉２５と嵌合する部分には、図５に示すように、上方に向けて開口する窪部２７が形成してある。
【００２４】
外扉３０は、本体キャビネット１の前面開口を覆うためのもので、内扉２０よりも前方側となる位置において、本体キャビネット１の一側縁部に開閉可能に配設してある。外扉３０の前面には、商品を販売する際に必要となるディスプレイウィンドウ３１や商品取出口３２が設けてあるとともに、図には明示しないが、商品選択ボタン、紙幣挿通口、硬貨投入口、返却レバー、金額表示器、硬貨返却口等が設けてある。
【００２５】
この外扉３０には、商品取出部３３が設けてある。商品取出部３３は、商品収容庫２における商品収納ラック５から払い出されて内扉２０の商品搬出口２４を通過した商品を収容し、かつ商品取出口３２を通じて該商品を取出可能にするものである。
【００２６】
また、上記外扉３０には、商品取出扉３４が設けてある。商品取出扉３４は、商品取出口３２を閉成するのに十分な大きさを有しており、樹脂材から形成されたものである。この商品取出扉３４は、前方側に引き出された場合に商品取出口３２が開成状態となるように上方の水平軸（揺動軸）を中心として揺動可能に配設してあり、常態においては、自身の自重のモーメントにより商品取出口３２を閉成している。
【００２７】
以上のように構成した自動販売機では、冷却ユニット１０を駆動した状態で庫内送風ファン１２を駆動すると、蒸発器１０ａにより冷却された空気が商品シュータ７の通気孔を通じて商品収納ラック５に供給される一方、商品収納ラック５を通過した空気が背面ダクト８を通じて庫内送風ファン１２に返却されることになり、商品収納ラック５に収納した商品を例えば５℃程度に冷却することが可能になる。
【００２８】
これとは逆に、ヒータ１１を通電状態にして庫内送風ファン１２を駆動すると、ヒータ１１に加熱された空気が商品シュータ７の通気孔を通じて商品収納ラック５に供給される一方、商品収納ラック５を通過した空気が背面ダクト８を通じて庫内送風ファン１２に返却されることになり、商品収納ラック５に収納した商品を例えば５５℃程度に加熱することが可能になる。
【００２９】
ところで、販売待機状態（常態）においては、商品搬出扉２５は、自身の自重のモーメントにより商品搬出口２４を閉成している。そして、商品搬出口枠２３の側枠部材２３３，２３４における商品搬出扉２５と嵌合する部分の横断面積がコ字状を成しているために、商品搬出扉２５と商品搬出口枠２３との間における低間隙部分４０の面積を拡大させることができるので、該商品搬出扉２５の表面に生じた結露水を毛細管現象により該低間隙部分４０に貯留させることができる（図４参照）。また、下枠部材２３２における商品搬出扉２５と嵌合する部分に窪部２７が形成してあるために、該窪部２７にも商品搬出扉２５の表面に生じた結露水を蓄積することができる（図５参照）。これにより、商品搬出扉２５が商品搬出口２４を閉成する場合に、商品搬出扉２５と商品搬出口枠２３との隙間に、結露水を毛細管現象により貯留させることができ、かかる結露水により気密性能を向上させることができる。
【００３０】
購入者の購入操作に応じて商品販売指令が与えられると、対応する商品収納ラック５において最下位に収納された商品が商品シュータ７に払い出される。かかる商品販売指令が与えられると、商品シュータ７に払い出された商品は、その傾斜にしたがって順次案内され、商品搬出扉２５に当接する。これにより、商品搬出扉２５は開移動して商品搬出口２４を開成させ、この結果、商品が商品搬出口２４を通過して商品取出部３３に収容される。
【００３１】
そして、購入者が商品取出部３３に収容された商品を取り出すために商品取出扉３４を開移動させると、購入者は、商品取出口３２を通じて商品取出部３３に収容された商品を取り出すことができる。
【００３２】
以上説明したように、本実施の形態である内扉２０によれば、商品搬出扉２５が商品搬出口２４を閉成する場合に、商品搬出扉２５と商品搬出口枠２３との隙間に、結露水を毛細管現象により貯留させるので、気密性能を向上させることができる。しかも、商品搬出扉２５の開閉移動範囲を制限するものではないので、商品搬出扉２５の開閉移動範囲を良好に確保することができる。更に、商品搬出扉２５と商品取出扉３４との隙間に結露水を貯留させるだけなので、従来のようにモータ１３等の電動機構を必要とせず、コストを低減させることができる。
【００３３】
従って、上記自動販売機によれば、コストの低減化を図りつつ、商品搬出扉２５の開閉移動範囲を良好に確保して、気密性能の向上を図ることができる。
【００３４】
また、気密性能の向上を図ることができることで、商品収容庫２からの熱リークを抑制でき、消費電力量の低減による省エネルギー化を図ることができる。
【００３５】
以上、本発明の好適な実施の形態について説明したが、本発明はこれに限定されるものではなく、種々の変更を行うことができる。
【００３６】
上述した実施の形態では、商品搬出口枠２３の側枠部材２３３，２３４のうち商品搬出扉２５を嵌合する部分の横断面形状をコ字状にして低間隙部分４０の面積を拡大していたが、本発明においては、低間隙部分の面積を拡大することができるのであれば、その形態は特に制限されない。例えば、図６に示すように、商品搬出口枠２３のうち商品搬出扉２５を嵌合する部分の断面形状を凸部と凹部とが交互に形成される山切りカットさせたものにし、商品搬出扉２５のうち商品搬出口枠２３と嵌合する部分の断面形状を商品搬出口枠２３と同様に山切りカットさせたものであっても良い。これによっても低間隙部分４１の面積を拡大させることができ、供給された水を毛細管現象により貯留させることができる。
【００３７】
また、図７に示すように、商品搬出扉２５の先端部に通過孔２５１が形成してあるとともに、窪部２７の底部にも通過孔２７１が形成してあっても構わない。このような構成によれば、図８に示すように、窪部２７等に新たな水（結露水）が供給されると、いままで窪部２７に蓄積されていた水を通過孔２７１から排出することができる。
【００３８】
また、上述した実施の形態では、商品搬出扉２５の表面に生じた結露水を貯留するようにしていたが、本発明では結露水に限定されず、雨水や水道水等を貯留するようにしても良い。
【産業上の利用可能性】
【００３９】
以上のように、本発明に係る自動販売機用扉体は、例えば缶入り飲料やペットボトル入り飲料等の商品を販売する自動販売機に有用である。
【符号の説明】
【００４０】
１  本体キャビネット
２  商品収容庫
５  商品収納ラック
６  商品収納域
７  商品シュータ
１０  冷却ユニット
２０  内扉
２１  扉本体
２２  扉基体
２３  商品搬出口枠
２３１  上枠部材
２３２  下枠部材
２３３  側枠部材
２３４  側枠部材
２４  商品搬出口
２５  商品搬出扉
２６  軸部
２７  窪部
３０  外扉
３２  商品取出口
３３  商品取出部
３４  商品取出扉
４０  低間隙部分
【図１】
0005720442.tif 000002
【図２】
0005720442.tif 000003
【図３】
0005720442.tif 000004
【図４】
0005720442.tif 000005
【図５】
0005720442.tif 000006
【図６】
0005720442.tif 000007
【図７】
0005720442.tif 000008
【図８】
0005720442.tif 000009